(57)【特許請求の範囲】
【請求項１】
(a)対向する左右一対の側板と、
(b)側板の下端から所定の高さを設けて底板が配設され、その下方に空間部が形成されている底板と、
(c)側板の上端に配設された天板と、
(d)背面部に配設された背板と、
(e)正面開口部に配設された収納扉と、
(f)前記収納扉の下部にて前記空間部の扉側前面を閉塞する幕板とから構成される収納家具において、
前記側板間に取り外し可能に嵌合出来る補強板が幕板の内面に固着されており、
前記補強板が、補強板本体の木口面に弾性体が取り付けられて構成されている事を特徴とする収納家具。
【発明の詳細な説明】
【０００１】
【発明の属する技術分野】
本発明は、底板の下方の空間を収納スペースとして有効に利用する事が出来る収納家具に関する。
【０００２】
【従来の技術】
一般的に収納家具の収納扉は、開閉する時に床面と擦れるのを防ぐため、収納扉の下端が設置場所の床面から離れるように配設される。これに合わせて収納家具の底板も設置場所の床面から離れるように取り付けられている。従って、底板と床面との間に空間部が生じ、その扉側前面を意匠上、強度上の観点より幕板が固着される。従って、この空間部は周囲が完全に閉塞されるため、デッドスペースとなってしまう。
【０００３】
【発明が解決しようとする課題】
本発明の解決課題は、底板を床面から離れた高い位置に配設することによって形成される底板以下の空間部も収納スペースとして利用する事の出来る収納家具を開発する事にある。
【０００４】
【課題を解決するための手段】
「請求項１」に記載の収納家具(1)は
(a)対向する左右一対の側板(2)と、
(b)側板(2)の下端から所定の高さを設けて配設され、その下方に空間部(9)が形成されている底板(3)と、
(c)側板(2)の上端に配設された天板(5)と、
(d)背面部に配設された背板(4)と、
(e)正面開口部に配設された収納扉(7)と、
(f)前記収納扉(7)の下部にて前記空間部(9)の扉側前面を閉塞する幕板(6)とから構成される収納家具(1)において、前記側板(2)間に取り外し可能に嵌合出来る補強板(10)が幕板(6)の内面に固着されており、補強板(10)が、補強板本体(10a)の木口面に弾性体(14)が取り付けられて構成されている事を特徴とする。
【０００５】
収納家具(1)は底板(3)が床面(13)より高い位置に配設されているため、底板(3)の下方には高さの極く低い空間部(9)が形成される。従来この空間部(9)は、幕板(6)にて閉塞されてデッドスペースとなっていたが、本発明では幕板(6)が着脱可能となっているので、底板(3)の下部に形成される空間部(9)に収納物(12)を収納することができ、従来は使用されていなかった空間部(9)を有効に利用することが出来るようになった。
【０００６】
また、補強板本体(10a)の木口部分に設けた弾性体(14)の存在により、側板(2)の内面間距離(X)と弾性体(14)間の距離に若干の相違があったとしても弾性体(14)の撓みによってこれを吸収する事が出来且つ撓んだときの弾性力により幕板(6)の取り付けがしっかりと行われ且つその着脱が簡単に行われるようになる。
【０００７】
【発明の実施の形態】
参考例は図１、図４に示すように対向する左右一対の側板(2)と、前記側板(2)の下端部に連設された底板(3)と、前記側板(2)の上端に連設された天板(5)と、背面部に配設された背板(4)と、正面開口部に蝶着された収納扉(7)と、前記収納扉(7)の下部に配設された幕板(6)とから構成される。
【０００８】
前記底板(3)は、側板(2)の最下端で床面(13)に接して配設されておらず、床面(13)から若干高い位置に配設され、底板(3)の下部に空間部(9)が形成される。この空間部(9)は側板(2)、背板(4)、床面(13)、底板(3)並びに幕板(6)とから形成される。底板(3)の上方の空間は、衣服その他、本来の収納スペースとして利用される収納部(8)である。
【０００９】
空間部(9)の高さは例えば10センチメートル以下の低いもので、その扉側前面全体を閉塞する幕板(6)が着脱可能に配設されている。幕板(6)の内面には、補強板(10)が固着されおり、前記補強板(10)の長さは対向する左右一対の側板(2)の内面間の距離(X)と略等しい。従って、前記補強板(10)の長さは側板(2)の厚さ分だけ前記幕板(6)の長さより短い。従って、幕板(6)を空間部(9)の扉側前面に嵌め込んだ時、側板(2)の内面に補強板(10)の端部が軽く接触して幕板(6)を扉側前面に保持する。保持力はあまり強くないので、幕板(6)を手で引っ張ると容易に扉側前面から外れる。
【００１０】
前記補強板(10)はパーティクルボード、合板、集成材、ＭＤＦ(中比重ファイバーボード)等でよく、また、これらの外側にプリント合板、シート等を貼ってもよい。勿論、収納家具(1)全体を前記部材で構成してもよく、その外側にプリント合板、シート等を貼る事も可能である。
【００１１】
次に本発明の実施例の構成を説明するが、説明の冗長を避けるため参考例と異なる点を中心に説明する。本実施例は図５に示すように、幕板(6)に取り付けられた補強板(10)の構造が参考例と異なる。本実施例の補強板(10)は参考例と同様に幕板(6)より短いが、本実施例の補強板本体(10a)の木口面には例えば軟質樹脂からなる弾性体(14)が配設されており、補強板本体(10a)とその両端（勿論、一方だけでもよいが、本明細書では両方に取り付ける場合をその代表例として説明する。）に設けられた弾性体(14)とで補強板(10)が構成される事になる。
【００１２】
この場合、補強板本体(10a)の両端に軟質樹脂にて構成された弾性体(14)を配設するため、その長さは側板(2)の内面間の距離(X)より若干長くなる。ここでいう軟質樹脂(11)とは、ウレタン樹脂、エキポシ樹脂、アクリル樹脂、ＥＶＡ樹脂等が考えられるが、軟質樹脂(11)に限定するわけではなく、例えばゴムのような伸縮性、復元力の高い性質を持つ弾性体(14)であれば何でも良い。
【００１３】
次に本発明の作用について説明する。まず、空間部(9)に収納物(12)を収納するために幕板(6)を取り外し(図１参照)、収納物(12)を空間部(9)に入れる(図２参照)。収納物(12)とは、季節限定で使用するために常時出し入れを行わないような物や、不使用時にはかなり大きな収納スペースを必要とする物が適しており、例えば、置き畳、ホットカーペット、スノーボードやスキー板等のスポーツ用具等が挙げられる。そして、収納物(12)を底板(3)の下方の空間部(9)内に収納した後、図３に示すように、幕板(6)を空間部(9)の扉側前面に取り付ける。
【００１４】
参考例の補強板(10)の長さは側板(2)の内面間の距離(X)と等しいため、補強板(10)が側板(2)の内面間に正確に嵌合する。従って、幕板(6)は側板(2)の内面に補強板(10)の木口面が当たり、その時の軽い摩擦抵抗によって幕板(6)が扉側前面に軽く固定される。
【００１５】
一方、本実施例の補強板(10)の補強材本体(10a)の両端には軟質樹脂にて構成された弾性体(14)が配設されており、補強板本体(10a)と両弾性体(14)を加えた長さは側板(2)の内面間の距離(X)より若干長いが、その弾性により側板(2)の内面間に隙間なく嵌合する。この時、側板(2)に弾接した弾性体(14)の摩擦抵抗により、幕板(6)を容易に着脱できるが、床の振動程度では外れない程度に上手く嵌まり込む。この点は弾性体(14)を設けていない場合でも同様である。
【００１６】
【発明の効果】
本発明の収納家具は、従来はデッドスペースとなっていた床面と底板との間に形成される前記空間部も収納空間として有効に利用する事ができるようになり、新たな収納スペースを確保できるようになった。
【図面の簡単な説明】
【図１】本発明に係る収納家具の幕板の着脱時の斜視図
【図２】本発明に係る収納家具の収納時の斜視図
【図３】本発明に係る収納家具の幕板の取り付け時の斜視図
【図４】参考例の空間部の平断面図
【図５】本発明実施例の空間部の平断面図
【図１】
0004243408.tif 000002
【図２】
0004243408.tif 000003
【図３】
0004243408.tif 000004
【図４】
0004243408.tif 000005
【図５】
0004243408.tif 000006